(57)【特許請求の範囲】
【請求項１】
上下一対の表装材（１・２）と、両表装材（１・２）の間に収容される弾性ユニット（３）とを備えており、
両表装材（１・２）の周縁どうしが周回状に縫着されて、弾性ユニット（３）が両表装材（１・２）でずれ動き不能に被覆固定されており、
弾性ユニット（３）は、ウレタンフォームからなる上下一対のクッション材（１４・１５）と、弾性ユニット（３）の長手方向である前後方向に沿って両クッション材（１４・１５）の間に隣接配置される、平面視で長方形状に形成された３枚のスプリングユニット（１０〜１２）とで構成されており、
各スプリングユニット（１０〜１２）は、縦横にマトリクス状に隣接配置された一群のポケットコイル（１３）で構成されており、
各ポケットコイル（１３）が、上下方向に伸縮可能なコイルスプリング（１８）と、コイルスプリング（１８）を包む不織布製の袋体（１９）とで構成されており、
各スプリングユニット（１０〜１２）における隣接するポケットコイル（１３）の間は、不織布製の被覆シート（２１・２１）を熱溶着でミシン目状に接合することにより形成された格子状の区画線（２２）により連結されており、
各袋体（１９）が、コイルスプリング（１８）の上下方向のばね力を受け止める上下一対の平坦なばね受壁（２０）を備えており、
各スプリングユニット（１０〜１２）の上下面の一群のばね受壁（２０）を上下のクッション材（１４・１５）に接着固定して、各スプリングユニット（１０〜１２）が両クッション材（１４・１５）に対してずれ動き不能に一体化されており、
中央のスプリングユニット（１０）と前後のスプリングユニット（１１・１２）とは、隙間を介して前後に隣接しており、これら３枚のスプリングユニット（１０〜１２）どうしは、上下一対のクッション材（１４・１５）を介して間接的に固定されており、
中央のスプリングユニット（１０）を構成する各ポケットコイル（１３）が、両端のスプリングユニット（１１・１２）を構成する各ポケットコイル（１３）よりも高い弾性力を有しており、
隣り合うスプリングユニット（１０〜１２）どうしの境界部を中心にして、３枚のスプリングユニット（１０〜１２）が重なるように三つに折り畳んだ状態、あるいは渦巻き状に巻いた状態とすることができるように構成されていることを特徴とする敷きパッド。
【請求項２】
弾性ユニット（３）が一対の表装材（１・２）で被覆固定された状態において、各ポケットコイル（１３）のコイルスプリング（１８）の直径寸法（Ｄ）が上下寸法（Ｈ）よりも大きく設定されている請求項１に記載の敷きパッド。
【請求項３】
弾性ユニット（３）の長手方向における中央のスプリングユニット（１０）の寸法が、弾性ユニット（３）の全長寸法の３分の１を越え、かつ２分の１未満に設定されている請求項１または２に記載の敷きパッド。  
【発明の詳細な説明】
【技術分野】
【０００１】
本発明は、ベッド用マットレスや敷き布団などの上面に敷いて使用される敷きパッドに関する。
【背景技術】
【０００２】
この種の敷きパッドは、例えば特許文献１に公知である。そこでは、シート状のウレタンフォームの少なくとも表面に立体編物を積層して敷きパッドを構成している。この敷きパッドを使用すると、表面の立体編物が有するソフトな触感および良好な通気性により、快適な寝心地が得られる。また、ウレタンフォームが体重を吸収することにより、立体編物の残留ひずみを効果的に低減して、立体編物の初期の良好なクッション性を長期にわたって維持することができる。
【０００３】
一方、ベッド用マットレスの市場では、多数のコイルスプリングを縦横に並設してなるスプリングユニットを内蔵したスプリングマットレスが多く流通している。スプリングマットレスには主として、コイルスプリングどうしがヘリカル線で連結されるボンネルコイル式マットレスと、コイルスプリングが一つずつ袋体に収容されて互いに独立しているポケットコイル式マットレスとが存在する。本発明は、ポケットコイル式のスプリングユニットを内蔵する敷きパッドを提供するものである。
【０００４】
従来のポケットコイル式マットレスの公知例としては、例えば特許文献２を挙げることができる。そこでは、直方体状の収容空間を区画する下部弾性体および上部弾性体と、該収容空間を前後や左右に分割する間仕切り用弾性体と、分割された各空間に１個ずつ収容されるスプリングユニットと、下部弾性体および上部弾性体の外面を覆う外装体などで、ポケットコイル式マットレスを構成している。間仕切り用弾性体で分割された各空間に、使用者の所望の弾性特性のスプリングユニットを収容することにより、使用者の好みに応じてマットレスの弾性特性を部分ごとに変更できる。各スプリングユニットは、前後左右に並べた一群のポケットコイルを布地の袋で覆って構成してあり、各ポケットコイルは直径寸法よりも上下寸法が充分に大きい円筒状に形成してある。下部弾性体の側壁内面および間仕切り用弾性体の表面には、スプリングユニットの側面に弾性変形しながら当接する突起が形成してあり、これら突起の当接により各スプリングユニットの収容空間内におけるずれ動きが規制されている。
【先行技術文献】
【特許文献】
【０００５】
【特許文献１】特開２００６−１０９８９６号公報
【特許文献２】特開２０１０−２５２９３７号公報
【発明の概要】
【発明が解決しようとする課題】
【０００６】
一般的に敷きパッドは、折り畳んだ状態や渦巻状に巻いた状態での収納あるいは持ち運びを可能にするため、ベッド用マットレスに比べて充分に薄く形成される。例えば、一般的なベッド用マットレスの上下厚みが約２０ｃｍであるのに対し、敷きパッドの上下厚みは約６ｃｍである。
【０００７】
特許文献２に記載のベッド用マットレスのスプリングユニット等の上下寸法を充分に小さくして、折り畳みや巻回が可能な敷きパッドとすることは可能である。しかし、この場合の敷きパッドは、スプリングユニットの収容空間を分割する間仕切り用弾性体が必要になるため、その分だけ敷きパッドの材料コストが嵩んでしまう。また、スプリングユニットと間仕切り用弾性体の弾性力が大きく異なる場合には、両者の境界部分で使用者が違和感を覚えるおそれがある。
【０００８】
本発明の目的は、複数個のスプリングユニットを内蔵する敷きパッドにおいて、各スプリングユニットのずれ動きを確実に規制しながら、敷きパッドを少ない部品点数で構成して、その製造コストを削減することにある。
【課題を解決するための手段】
【０００９】
本発明に係る敷きパッドは、上下一対の表装材１・２と、両表装材１・２の間に収容される弾性ユニット３とを備える。両表装材１・２の周縁どうしを周回状に縫着して、弾性ユニット３を両表装材１・２でずれ動き不能に被覆固定する。弾性ユニット３を、ウレタンフォームからなる上下一対のクッション材１４・１５と、弾性ユニット３の長手方向に沿って両クッション材１４・１５の間に隣接配置される、平面視で長方形状に形成された３枚のスプリングユニット１０〜１２とで構成する。各スプリングユニット１０〜１２を、縦横にマトリクス状に隣接配置された一群のポケットコイル１３で構成し、各ポケットコイル１３を、上下方向に伸縮可能なコイルスプリング１８と、コイルスプリング１８を包む不織布製の袋体１９とで構成する。各スプリングユニット１０〜１２における隣接するポケットコイル１３の間は、不織布製の被覆シート２１・２１を熱溶着でミシン目状に接合することにより形成された格子状の区画線２２により連結されている。各袋体１９は、コイルスプリング１８の上下方向のばね力を受け止める上下一対の平坦なばね受壁２０を備える。各スプリングユニット１０〜１２の上下面の一群のばね受壁２０を上下のクッション材１４・１５に接着固定して、各スプリングユニット１０〜１２を両クッション材１４・１５に対してずれ動き不能に一体化する。中央のスプリングユニット１０と前後のスプリングユニット１１・１２とは、隙間を介して前後に隣接しており、これら３枚のスプリングユニット１０〜１２どうしは、上下一対のクッション材１４・１５を介して間接的に固定されている。中央のスプリングユニット１０を構成する各ポケットコイル１３が、両端のスプリングユニット１１・１２を構成する各ポケットコイル１３よりも高い弾性力を有している。隣り合うスプリングユニット１０〜１２どうしの境界部を中心にして、３枚のスプリングユニット１０〜１２が重なるように三つに折り畳んだ状態、あるいは渦巻き状に巻いた状態とすることができるように構成されている。
【００１０】
弾性ユニット３が一対の表装材１・２で被覆固定された状態において、各ポケットコイル１３のコイルスプリング１８の直径寸法Ｄを上下寸法Ｈよりも大きく設定することが好ましい。
【００１３】
弾性ユニット３の長手方向における中央のスプリングユニット１０の寸法が、弾性ユニット３の全長寸法の３分の１を越え、かつ２分の１未満に設定されている形態を採ることができる。
【発明の効果】
【００１４】
本発明では、上下一対の表装材１・２の周縁どうしを周回状に縫着し、弾性ユニット３を両表装材１・２でずれ動き不能に被覆固定した。また弾性ユニット３を、ウレタンフォームからなる上下一対のクッション材１４・１５と、一群のポケットコイル１３からなる複数個のスプリングユニット１０〜１２とで構成し、各スプリングユニット１０〜１２の上下面を上下のクッション材１４・１５に接着固定した。以上のように構成した敷きパッドによれば、表装材１・２に対する弾性ユニット３のずれ動きと、クッション材１４・１５に対する各スプリングユニット１０〜１２のずれ動きとを確実に規制して、敷きパッドの作製当初における弾性ユニット３とそのスプリングユニット１０〜１２の適切な配置を常に維持することができ、従って、敷きパッドの使用者に常に快適な使用感を提供することができる。従来のベッド用マットレスで用いられていた間仕切り用弾性体が無くても、各スプリングユニット１０〜１２のずれ動きを規制できるので、敷きパッドを少ない部品点数で構成してその材料コストを削減でき、従って敷きパッドを低コストで製造できる。また、間仕切り用弾性体のような異物を介することなくスプリングユニット１０〜１２どうしを隣接配置できるので、スプリングユニット１０〜１２の隣接部分で使用者が違和感を覚えるおそれを解消して、使用者の寝心地を向上させることができる。
【００１５】
さらに本発明では、各ポケットコイル１３を構成する不織布製の袋体１９が、コイルスプリング１８の上下方向のばね力を受け止める上下一対の平坦なばね受壁２０を備えるものとし、この平坦なばね受壁２０をクッション材１４・１５に接着したので、各ポケットコイル１３とクッション材１４・１５の接着面積を十分に大きくして、スプリングユニット１０〜１２をクッション材１４・１５に対して強固に接着できる。コイルスプリング１８の上下方向のばね力は、上下一対のばね受壁２０をクッション材１４・１５に押し付けて、その接着状態を良好に維持することにも寄与する。
【００１６】
各ポケットコイル１３のコイルスプリング１８の直径寸法Ｄを上下寸法Ｈよりも大きく設定すると、従来のベッド用マットレスで用いられている縦長のポケットコイルを用いる場合に比べて、ポケットコイル１３の上下寸法に対する袋体１９のばね受壁２０の面積を大きくできる。従って、各ポケットコイル１３とクッション材１４・１５の接着面積をさらに大きくして、スプリングユニット１０〜１２をクッション材１４・１５に対してさらに強固に接着できる。また本発明によれば、従来の縦長のポケットコイルを用いる場合に比べて、スプリングユニット１０〜１２を少数のポケットコイル１３で構成することができ、その分だけスプリングユニット１０〜１２を軽量化し、またその材料コストを削減することができる。
【００１７】
隣接するスプリングユニット１０〜１２どうしを、上下一対のクッション材１４・１５を介して間接的に固定して、スプリングユニット１０〜１２の隣接部分の連結構造を廃することが好ましい。隣接部分に連結構造を設けると、連結構造が敷きパッドの使用者に対して異物感を与えてしまい、使用者の寝心地が低下するおそれがある。これに対して本発明のように、隣接するスプリングユニット１０〜１２どうしを間接的に固定して、隣接部分の連結構造を廃すると、連結構造に起因する異物感を解消して、使用者の寝心地を向上させることができる。
【００１８】
前後方向（弾性ユニット３の長手方向）に隣接する３個のスプリングユニット１０〜１２のうち、前後端のスプリングユニット１１・１２の前後寸法を同一に設定し、さらに、上下一対のクッション材１４・１５を同一の上下厚みのウレタンフォームで形成すると、弾性ユニット３を前後対称かつ上下対称に形成して、敷きパッドを前後と上下（表裏）の区別無く使用することができる。このように、敷きパッドの前後と上下の区別を無くすと、敷きパッドを定期的に前後反転あるいは上下反転させるローテーションが可能となる。敷きパッドのローテーションを定期的に行うと、各スプリングユニット１０〜１２において長期使用に伴う部分的なへたりが生じ難くなるので、敷きパッドを長寿命化することができる。
【００１９】
中央のスプリングユニット１０を、高弾性のポケットコイル１３で構成するとともに、弾性ユニット３の全長寸法の３分の１を越える寸法に設定すると、敷きパッドの使用者の腰部を高弾性のスプリングユニット１０で受け止めることができる。使用者の体重が最も集中する腰部を高弾性のスプリングユニット１０で支持すると、使用者の寝姿勢を良好なものとして、使用者の寝心地を向上させることができる。なお、高弾性のスプリングユニット１０の寸法が弾性ユニット３の全長寸法の３分の１を越えない場合には、特に身長の低い使用者が敷きパッドの長手方向の一側端に片寄った寝姿勢の場合に、その腰部を高弾性のスプリングユニット１０で支持できないことがある。また、高弾性のスプリングユニット１０は比較的高価であることから、このスプリングユニット１０を弾性ユニット３の全長寸法の２分の１未満の寸法に設定すると、弾性ユニット３に占める高弾性のスプリングユニット１０の割合が大きくなることに伴う材料コストの増加の問題を解消することができる。
【図面の簡単な説明】
【００２０】
【図１】本発明の実施例に係る敷きパッドの要部を示す縦断面図である。
【図２】実施例に係る敷きパッドの（ａ）一部破断平面図と（ｂ）側面図である。
【図３】実施例に係る敷きパッドの分解斜視図である。
【図４】スプリングユニットの一部破断平面図である。
【図５】図２におけるＡ−Ａ線断面図である。
【図６】図２におけるＢ−Ｂ線断面図である。
【図７】実施例に係る敷きパッドの（ａ）三つ折り状態と（ｂ）巻回状態を示す図である。
【発明を実施するための形態】
【００２１】
（実施例）  図１ないし図７は、本発明に係る敷きパッドの実施例を示す。本実施例における前後、左右、上下とは、図２および図３に示す矢印と、各矢印の近傍に表記した前後、左右、上下の表示に従う。本発明における敷きパッドの長手方向は、本実施例における前後方向に一致する。また、本実施例における左右方向と上下方向は、敷きパッドの幅方向と厚み方向にそれぞれ一致する。
【００２２】
図２および図３において敷きパッドは、キルティング生地からなる上下一対の表装材１・２の間に弾性ユニット３を収容して構成される。弾性ユニット３は、前後方向に隣接配置される３枚のスプリングユニット１０〜１２と、同ユニット１０〜１２の上下面を覆う一対のクッション材１４・１５とで構成される。各スプリングユニット１０〜１２は、上下方向に伸縮可能な一群のポケットコイル１３を縦横に隣接配置して矩形シート状に形成されている。前後端のスプリングユニット１１・１２は同一形状であり、前後中央のスプリングユニット１０は前後端のスプリングユニット１１・１２よりも前後に長く形成してある。上下のクッション材１４・１５はウレタンフォームからなり、同一形状の矩形シート状に形成されている。各クッション材１４・１５の前後寸法は、３枚のスプリングユニット１０〜１２の前後寸法を合わせたものに略等しい。各クッション材１４・１５はスプリングユニット１０〜１２と略同一の左右寸法を有し、またスプリングユニット１０〜１２よりも上下方向に薄く形成されている。
【００２３】
本実施例に係る敷きパッドはシングルサイズとし、弾性ユニット３を構成するスプリングユニット１０〜１２およびクッション材１４・１５の左右寸法をそれぞれ１００ｃｍに設定した。また、中央のスプリングユニット１０の前後寸法を８５ｃｍ、前後のスプリングユニット１１・１２の前後寸法を５５ｃｍ、各クッション材１４・１５の前後寸法を１９５ｃｍに設定した。中央のスプリングユニット１０は、６００個のポケットコイル１３の集合体からなり、前後方向に２４個、左右方向に２５個のポケットコイル１３が配列されている。前後のスプリングユニット１１・１２は、それぞれ４００個のポケットコイル１３の集合体からなり、前後方向に１６個、左右方向に２５個のポケットコイル１３が配列されている。なお本発明は、シングルサイズとは左右寸法が異なるセミダブルサイズやダブルサイズの敷きパッドにも適用が可能である。セミダブルサイズの敷きパッドは、左右寸法が例えば１２０ｃｍに設定され、各スプリングユニット１０〜１２が左右に３０個のポケットコイル１３を並べて構成される。ダブルサイズの敷きパッドは、左右寸法が例えば１４０ｃｍに設定され、各スプリングユニット１０〜１２が左右に３５個のポケットコイル１３を並べて構成される。
【００２４】
図４および図５において各ポケットコイル１３は、上下方向に伸縮可能な中空円筒状のコイルスプリング１８と、コイルスプリング１８を包む不織布製の袋体１９とで構成される。袋体１９は、コイルスプリング１８の上下端の座巻に密着して、コイルスプリング１８の上下方向のばね力を受け止める上下一対の平坦なばね受壁２０を備えている。このポケットコイル１３で構成される各スプリングユニット１０〜１２は、複数個のコイルスプリング１８と、２枚の不織布製の被覆シート２１・２１から作製することができる。具体的には、２枚の被覆シート２１・２１の間にコイルスプリング１８を縦横に配列し、隣接するコイルスプリング１８・１８の間で２枚の被覆シート２１・２１を熱溶着によりミシン目状に接合して、各コイルスプリング１８を１個ずつ囲むように格子状の区画線２２を形成する。２枚の被覆シート２１・２１と区画線２２で囲まれる空間が、コイルスプリング１８を個別に収容するポケット２３を構成する。
【００２５】
被覆シート２１を不織布のような通気性の素材で構成すると、各コイルスプリング１８が中空円筒状であることと相俟って、スプリングユニット１０〜１２の全体が上下方向に優れた通気性を発揮するので、敷きパッドの全体としての上下方向の通気性を高めて、蒸れの少ない敷きパッドとすることができる。各スプリングユニット１０〜１２は前後方向および左右方向の通気性にも優れるので、弾性ユニット３の四周縁部からも湿気を排出できる。
【００２６】
図１に示すように、中央のスプリングユニット１０を構成する各ポケットコイル１３のコイルスプリング１８は、前後のスプリングユニット１１・１２を構成する各ポケットコイル１３のコイルスプリング１８よりも太い線材で形成されており、従って前者のポケットコイル１３は後者のポケットコイル１３よりも高い弾性力を有する。具体的には、中央のスプリングユニット１０の各コイルスプリング１８の線径Ｌ１を１．２ｍｍに設定し、前後のスプリングユニット１１・１２の各コイルスプリング１８の線径Ｌ２を１．０ｍｍに設定した。本実施例では、高弾性のポケットコイル１３で構成される中央のスプリングユニット１０を、その前後のスプリングユニット１１・１２よりも前後に長く形成して、敷きパッドの使用者の腰部を中央のスプリングユニット１０で受け止められるようにした。使用者の体重が最も集中する腰部を高弾性のスプリングユニット１０で支持すると、使用者の寝姿勢を良好なものとして、使用者の寝心地を向上させることができる。
【００２７】
図１に拡大して示すように各スプリングユニット１０〜１２は、上下のクッション材１４・１５に対してそれぞれ柔軟な接着剤層２５を介して固定されている。本実施例では、上下のクッション材１４・１５の内面に液状の接着剤をスプレーガンで吹き付けて接着剤層２５を形成し、スプリングユニット１０〜１２の上下面の一群のばね受壁２０を接着剤層２５に押し付けることにより、スプリングユニット１０〜１２とクッション材１４・１５を接着固定した。もちろん、クッション材１４・１５に接着剤を吹き付けるのに代えて、スプリングユニット１０〜１２の各袋体１９の外面に接着剤を吹き付けてもよく、クッション材１４・１５と各袋体１９の両方に接着剤を吹き付けてもよい。接着剤層２５を構成する接着剤は、ウレタンフォームと不織布を接着可能なものから適宜選択できる。このようにスプリングユニット１０〜１２とクッション材１４・１５を接着固定すると、各スプリングユニット１０〜１２が両クッション材１４・１５に対してずれ動き不能に一体化されて、本実施例に係る弾性ユニット３を得ることができる。
【００２８】
各ポケットコイル１３の袋体１９の平坦なばね受壁２０をクッション材１４・１５に接着すると、各ポケットコイル１３とクッション材１４・１５の接着面積を十分に大きくして、スプリングユニット１０〜１２をクッション材１４・１５に対して強固に接着できる。さらに本実施例では、各コイルスプリング１８の直径寸法Ｄを上下寸法Ｈよりも大きく設定して（図５参照）、従来のベッド用マットレスで用いられている縦長のポケットコイルを用いる場合に比べて、ポケットコイル１３の上下寸法に対するばね受壁２０の面積を大きくしたので、各ポケットコイル１３とクッション材１４・１５の接着面積をさらに大きくして、スプリングユニット１０〜１２をクッション材１４・１５に対してさらに強固に接着できる。コイルスプリング１８の上下方向のばね力は、上下一対のばね受壁２０をクッション材１４・１５に押し付けて、その接着状態を良好に維持することにも寄与する。また、各コイルスプリング１８の直径寸法Ｄを上下寸法Ｈよりも大きく設定すると、従来の縦長のポケットコイルを用いる場合に比べて、スプリングユニット１０〜１２を少数のポケットコイル１３で構成することができ、その分だけスプリングユニット１０〜１２を軽量化し、またその材料コストを削減することができる。
【００２９】
弾性ユニット３において、中央のスプリングユニット１０と前後のスプリングユニット１１・１２は僅かな隙間を介して前後に隣接しており、上下のクッション材１４・１５を介して間接的に固定されている。このように、スプリングユニット１０〜１２どうしを間接的に固定して、スプリングユニット１０〜１２の隣接部分の連結構造を廃すると、連結構造に起因する異物感を解消して、使用者の寝心地を向上させることができる。
【００３０】
上記のようにスプリングユニット１０〜１２とクッション材１４・１５が一体化された弾性ユニット３は、２枚の表装材１・２の間に収容される。図６に拡大して示すように各表装材１・２は、外面側から順に織布３０と、ポリエステルわたで形成されたシート状のキルト芯３１と、ウレタンフォームからなる弾性シート３２と、不織布３３とを積層し、キルティング加工を施すことにより作製されている。本実施例に係る敷きパッドを得るには、２枚の表装材１・２の間に弾性ユニット３を挟み、両表装材１・２の周縁どうしを全周にわたって重ね合わせ、縁テープ３７を被せて糸３８で周回状に縫着すればよい。縫着前の各表装材１・２の縦横寸法（前後寸法および左右寸法）は、その周縁どうしの間に弾性ユニット３が挟まれて縫着されない程度に、弾性ユニット３の縦横寸法よりも一回り大きく設定されている。縫着された両表装材１・２の周縁は、弾性ユニット３の上下方向の略中央と同じ高さに位置する。上下の表装材１・２の周縁どうしを直接縫着すると、弾性ユニット３の側面のみを別の表装材で覆い、当該表装材を上下の表装材１・２にそれぞれ縫着する場合に比べて、敷きパッドの構造を簡素化することができ、さらに、表装材を縫着する作業の手間を半減させて、敷きパッドを低コストで製造することができる。
【００３１】
両表装材１・２の周縁どうしを周回状に縫着すると、弾性ユニット３が両表装材１・２でずれ動き不能に被覆固定される。より詳しくは、上下のクッション材１４・１５に正対する各表装材１・２の主面部が、弾性ユニット３の上下面に対して上下方向に圧接し、また各主面部の周囲の部分が、弾性ユニット３の上下面の前後左右の周縁に対して斜め下向きあるいは斜め上向きに圧接することにより、表装材１・２に対する弾性ユニット３の全方向（上下方向、前後方向、および左右方向）のずれ動きが規制されている。このように、弾性ユニット３を両表装材１・２でずれ動き不能に被覆固定すると、弾性ユニット３と表装材１・２の間における接着剤などの固定手段を省略し、その分だけ製造に要する手間を削減して、敷きパッドを低コストで製造することができる。
【００３２】
弾性ユニット３を表装材１・２で被覆固定して完成する敷きパッドの上下厚みは約６ｃｍである。この敷きパッドは、図７（ａ）に示すように三つに折り畳んだ状態や、図７（ｂ）に示すように渦巻き状に巻いた状態で、収納あるいは持ち運ぶことができる。布団のように竿に掛けて干すことも可能である。上記のように本実施例では、コイルスプリング１８の直径寸法Ｄが上下寸法Ｈよりも大きいポケットコイル１３で各スプリングユニット１０〜１２を構成して、敷きパッドの全体を軽量化したので、折り畳んだ状態や渦巻き状に巻いた状態で容易に持ち運ぶことができる。この敷きパッドの全体重量は約６．８ｋｇである。なお、本実施例に係る敷きパッドは、展開状態で厚み方向に圧縮された後で渦巻き状に巻かれ、気密性の袋に梱包された状態で出荷、販売に供される。
【００３３】
以上のように本実施例では、上下一対の表装材１・２の周縁どうしを周回状に縫着し、弾性ユニット３を両表装材１・２でずれ動き不能に被覆固定した。また弾性ユニット３を、３枚のスプリングユニット１０〜１２とその上下面を覆う一対のクッション材１４・１５で構成し、各スプリングユニット１０〜１２の上下面を上下のクッション材１４・１５にそれぞれ接着固定した。以上のように構成した敷きパッドによれば、表装材１・２に対する弾性ユニット３のずれ動きと、クッション材１４・１５に対する各スプリングユニット１０〜１２のずれ動きとを確実に規制して、敷きパッドの作製当初における弾性ユニット３とそのスプリングユニット１０〜１２の適切な配置を常に維持することができ、従って、敷きパッドの使用者に常に快適な使用感を提供することができる。従来のベッド用マットレスで用いられていた間仕切り用弾性体が無くても、各スプリングユニット１０〜１２のずれ動きを規制できるので、敷きパッドを少ない部品点数で構成してその材料コストを削減でき、従って敷きパッドを低コストで製造できる。
【００３４】
本実施例では、前後のスプリングユニット１１・１２と上下のクッション材１４・１５をそれぞれ同一の形状とし、敷きパッドの全体を前後対称かつ上下対称に形成して、敷きパッドを前後および上下（表裏）の区別無く使用できるようにした。このように、敷きパッドの前後と上下の区別を無くすと、敷きパッドを定期的に上下反転あるいは前後反転させるローテーションが可能となる。敷きパッドのローテーションを定期的に行うと、各スプリングユニット１０〜１２において長期使用に伴う部分的なへたりが生じ難くなるので、敷きパッドを長寿命化することができる。ただし本発明において、敷きパッドを前後対称かつ上下対称とすることは必須ではなく、例えば前後のスプリングユニット１１・１２の前後寸法や弾性を異ならせてもよく、また一対のクッション材１４・１５の上下厚み寸法を異ならせてもよい。
【００３５】
スプリングユニット１０〜１２を構成するポケットコイル１３の弾性を異ならせる手法としては、上記実施例のようにコイルスプリング１８の線径Ｌ１・Ｌ２を異ならせる以外に、例えばコイルスプリング１８の直径寸法Ｄや巻き数を異ならせてもよい。コイルスプリング１８は中空円筒状以外に、上下中央が括れた鼓形状や、上下中央が膨らんだ樽形状などに形成してあってもよい。
【符号の説明】
【００３６】
１・２  表装材
３  弾性ユニット
１０〜１２  スプリングユニット
１３  ポケットコイル
１４・１５  クッション材
１８  コイルスプリング
１９  袋体
２０  ばね受壁
２５  接着剤層
【図１】
0006614613.tif 000002
【図２】
0006614613.tif 000003
【図３】
0006614613.tif 000004
【図４】
0006614613.tif 000005
【図５】
0006614613.tif 000006
【図６】
0006614613.tif 000007
【図７】
0006614613.tif 000008